(57)【要約】【課題】材料適応性及び選別処理能力を向上した脱穀装置を提供する。【解決手段】選別室９で選別された二番物を扱室１９と選別室９とに択一的に放出するように構成し、選別室９の一側方に、前記二番物を揺動選別体２２に放出する選別室還元口６０と、該揺動選別体２２上の処理物を分散させる寄せ板４９Ｒと、を配置し、該寄せ板４９Ｒを、二番物の放出先に応じて高さ調節する。該寄せ板４９Ｒを、選別室還元口６０と機体３の前後方向に少なくとも一部が重なるように配置する。【選択図】図１１
2014090672.tif 000002
【特許請求の範囲】
【請求項１】
扱胴を収納し、穀稈の脱穀処理を行なう扱室と、該扱室で脱穀処理された処理物を後方移送しつつ選別する揺動選別体を有する選別室と、を備え、前記選別室で選別された二番物を前記扱室と前記選別室とに択一的に放出する脱穀装置において、
前記選別室の一側方に、前記二番物を前記揺動選別体上に放出する選別室還元口と、前記揺動選別体上の処理物を分散させる寄せ板と、を配置し、
該寄せ板の高さを調節可能とした、
ことを特徴とする脱穀装置。
【請求項２】
前記寄せ板は、前記選別室還元口と機体の前後方向に少なくとも一部が重なるように配置された、
請求項１記載の脱穀装置。
【請求項３】
前記寄せ板は、前記一側方に向って徐々に高く形成されてなる、
請求項２記載の脱穀装置。
【発明の詳細な説明】
【技術分野】
【０００１】
本発明は、コンバイン等に搭載される脱穀装置に係り、詳しくは、前後方向に揺動可能に支持され、脱穀処理された処理物を選別する揺動選別体を備えた脱穀装置に関する。
【背景技術】
【０００２】
従来、コンバイン等に搭載される脱穀装置において、扱胴を収納する扱室の下方に、前後方向に揺動可能に支持された揺動選別体を有する選別室を備えたものがある。該揺動選別体は、扱胴によって脱穀された穀粒及び藁屑等の処理物を比重選別しつつ後方側へ流動させるフィードパンと、該フィードパンの後端に達した処理物を篩選別するチャフシーブとを有して構成されている。
【０００３】
この種の脱穀装置において、揺動選別体の選別作業にて選別処理された二番物を、穀物の種類や状態に応じて再度扱室又は選別室に戻して再処理を行なう脱穀装置が知られている（特許文献１参照）。また、フィードパン上の処理物を分散し、均平にする拡散部材を備え、処理物の選別処理能力の向上を図ったものが知られている（特許文献２，３参照）。
【先行技術文献】
【特許文献】
【０００４】
【特許文献１】特許第３１５９１７３号公報
【特許文献２】特開平７−２７４６８５号公報
【特許文献３】特開２００５−３０４４２７号公報
【発明の概要】
【発明が解決しようとする課題】
【０００５】
しかしながら、上記特許文献１記載の脱穀装置は、二番物を選別室に直接還元する場合において、扱室で脱穀されて受網から漏下した処理物に加えて、選別室に塊となって還元された二番物が合流し、揺動選別装置上で処理物が偏在することで選別処理が間に合わずに、籾が機外へ飛散するという虞がある。
【０００６】
また、特許文献２及び３記載の脱穀装置は、二番物を選別室のフィードパン上に還元するものであって、例えば処理物の量が多い時に脱穀しきれなかった二番物を扱室に還元し再度脱穀することができず、穀稈の籾が脱穀されないままに機外へ飛散する虞がある。
【０００７】
そこで、本発明は、穀物の種類等によって二番物の放出先を扱室と選別室とに切替え可能に構成するとともに、これら二番物の放出先に応じて処理物を効果的に分散させて、もって材料適応性及び選別処理能力を向上した脱穀装置を提供することを目的とする。
【課題を解決するための手段】
【０００８】
本発明は、扱胴（２０）を収納し、穀稈の脱穀処理を行なう扱室（１９）と、該扱室（１９）で脱穀処理された処理物を後方移送しつつ選別する揺動選別体（２２）を有する選別室（９）と、を備え、前記選別室（９）で選別された二番物を前記扱室（１９）と前記選別室（９）とに択一的に放出する脱穀装置（７）において、
前記選別室（９）の一側方に、前記二番物を前記揺動選別体（２２）上に放出する選別室還元口（６０）と、前記揺動選別体（２２）上の処理物を分散させる寄せ板（４９Ｒ）と、を配置し、
該寄せ板（４９Ｒ）の高さを調節可能とした、
ことを特徴とする。
【０００９】
例えば図１１を参照して、前記寄せ板（４９Ｒ）は、前記選別室還元口（６０）と機体（３）の前後方向に少なくとも一部が重なるように配置されてなる。
【００１０】
例えば図１１を参照して、前記寄せ板（４９Ｒ）は、前記一側方に向って徐々に高く形成されてなる。
【００１１】
なお、上述カッコ内の符号は、図面と対照するためのものであるが、何ら本発明の構成を限定するものではない。
【発明の効果】
【００１２】
請求項１に係る本発明は、選別室で選別された二番物を扱室と選別室とに択一的に放出すると共に、選別室還元口と同じ側に配置した寄せ板の高さを調節可能として、例えば大豆等の傷の付きやすい穀物の場合に、二番物を選別室還元口から揺動選別体上に放出するように設定する。すると、受網から漏下する処理物と放出された二番物とが合流して、揺動選別体上の寄せ板側の処理物が増加するので、上記寄せ板を高く設定し、該寄せ板側の処理物を揺動選別体の中央側へと寄せ、揺動選別体上の処理物を均平にすることで選別処理能力が向上するので、籾が機外飛散されて排出ロスが発生することを防止することができる。また、例えば稲・麦等の傷の付きにくい穀物や処理物の量が多い場合には、二番物を扱室に還元するように設定し、処理物は受網を介して揺動選別体上に漏下して、二番物を選別室還元口から放出する場合に比して処理物の偏在が少ないので、寄せ板を低く設定することで揺動選別体上の処理物の均平性が向上し、排出ロスの発生を防止することができる。
【００１３】
このように、穀物の種類や状態等に応じて、二番物を扱室又は選別室に択一的に放出し、該放出先に適合するように寄せ板の高さを調節して揺動選別体上の処理物の均平性を向上し、材料適応性及び選別処理能力を向上することができる。
【００１４】
請求項２に係る本発明は、寄せ板が選別室還元口と機体の前後方向に少なくとも一部が重なるように配置され、該選別室還元口から放出された二番物が寄せ板の前方側と後方側の双方に放出されるので、放出された二番物が全て寄せ板によって揺動選別体の中央側に寄ってしまって、該揺動選別体の中央側に集まりすぎることがなく、揺動選別体上の処理物が効率的に分散されて処理物の均平性を向上することができる。
【００１５】
請求項３に係る本発明は、寄せ板を選別室の一側方に向かって徐々に高く形成し、選別室の一側方側は処理物が寄せ板を乗越えにくく、後方移送されつつ中央側に寄せられ、かつ選別室の中央側は処理物が寄せ板を乗越えやすいので、二番物が多い場合に処理物の詰まりを防止すると共に揺動選別体上での処理物の均平性を向上することができる。
【図面の簡単な説明】
【００１６】
【図１】本発明の実施の形態に係る汎用コンバインの全体構成を示す側面図。
【図２】本発明の実施の形態に係る脱穀装置を示す側面図。
【図３】その扱室及び還元室を示す平面図。
【図４】図３のＡ−Ａ断面を示す断面図。
【図５】還元室の選別室連通口が閉塞されていることを示す斜視図。
【図６】還元室の選別室連通口が開放されていることを示す斜視図。
【図７】揺動選別体及び寄せ板を示す平面図。
【図８】その側面図。
【図９】図３のＢ−Ｂ断面を示す断面図。
【図１０】図３のＣ−Ｃ断面を示し、寄せ板が低く設定されている状態を示す断面図。
【図１１】図３のＣ−Ｃ断面を示し、寄せ板が高く設定されている状態を示す断面図。
【発明を実施するための形態】
【００１７】
以下、図面に沿って、本発明の実施の形態について説明する。コンバイン１は、汎用コンバインであって、図１ないし図４に示すように、左右一対のクローラ式走行装置である走行装置２に支持された機体３を有している。該機体３の前方には、圃場の穀稈を刈取る前処理部５が昇降自在に設けられており、前記機体３の前方一側には、オペレータが着座してコンバイン１を操縦する運転操作部６が設けられている。前記機体３の他側方には、前記前処理部５で刈取り・搬送された穀稈を脱穀処理及び選別処理する脱穀装置７が設けられている。前記運転操作部６の後方には、上記脱穀装置７で脱穀・選別された穀粒を貯蔵するグレンタンク１０が配置されており、該グレンタンク１０の後方には、該グレンタンク１０内に貯蔵された穀粒を機外に排出するための排出オーガ１１が設けられている。
【００１８】
上記前処理部５は、圃場の穀稈を分草するデバイダ１２と、該デバイダ１２によって分草された穀稈を刈取るレシプロ式の刈刃１３と、該刈刃１３の後方側に配設されたバケット状のプラットホーム１４と、これらデバイダ１２及び刈刃１３の上方に配設され、穀稈を上記機体３後方側に掻き込むリール１５と、を備えており、該リール１５によって上記プラットホーム１４に掻き込まれた穀稈を、上記刈刃１３が刈取るように構成されている。上記刈刃１３によって刈り取られた穀稈は、上記プラットホーム１４内のプラットホームオーガ１６によって横送りされ、収穫した穀物をフィーダ１７によって上記脱穀装置７の扱室１９内へ刈取った穀稈ごと投入するように構成されている。
【００１９】
上記脱穀装置７は、上記前処理部５によって刈り取られた穀稈が投入される上記扱室１９と、該扱室１９の真下に配置される選別室９と、を有し、上記扱室１９において穀稈の脱穀処理を行なうと共に、選別室９において脱穀された処理物の選別処理を行なう。上記扱室１９内には、その外周面にらせん状に案内板２０ａが取付けられた扱胴２０が回転自在に収納されており、該案内板２０ａには、穀稈を引っ掛けて上記扱胴２０と共に回転させる突起状の扱歯２０ｂが複数設けられている。また、上記扱室１９は、その下方側（扱胴２０の下方部分）が扱胴２０の外周に沿った半円筒状の受網２１によって形成されており、上記扱室１９に投入された穀稈は、上記扱歯２０ｂによって扱胴２０と一緒に回転させられ、上記案内板２０ａによって機体後方側に搬送されながら、上記受網２１によって擦り付けられて脱穀される。
【００２０】
上記選別室９は、上記受網２１の下方側に配設された揺動選別体２２と、該揺動選別体２２の前部下方側から後部上方側に向かって選別風を送風する唐箕ファン２３及び送風ファン２４と、を有している。上記揺動選別体２２は、上下二段構造となっており、上段のフィードパン２５，チャフシーブ２６，ストローラック２７と、下段のグレンシーブ２９，チャフシーブ３０，ストローラック３１と、からなり、これらが上段及び下段にて連続して設けられ、前後に揺動されることで処理物が比重選別される。上記フィードパン２５は、波板状の移送板であって、受網２１から漏下する処理物及び後述する二番物を受け止めて後方移送する。上記チャフシーブ２６，３０は、前後方向に所定間隔を存して並設される複数のフィンによって構成され、後方移送されたこれら処理物を上記唐箕ファン２３及び送風ファン２４の選別風によって風選別すると共に篩選別し、更に所定の目合の金網部材からなるグレンシーブ２９を通過した穀粒は、一番物として一番ラセン３２に落下する。上記揺動選別体２２の終端部まで移送された処理物は、ストローラック２７，チャフシーブ３０及びストローラック３１を介して二番ラセン３３に落下する。また、上記ストローラック３１にて落下規制された長藁は、その終端まで移送され、機外に排出される。上記扱室１９及び選別室９には、上記機体３にヒンジ３５を介して開閉自在に支持されたサイドカバー３６を上方に開くことで、作業者はアクセスすることができる。
【００２１】
上記一番ラセン３２には、上記グレンタンク１０に一番物である穀粒を揚送する揚穀装置３７を連動連結し、上記二番ラセン３３には、二番物を上記扱室１９の一側方に配置した還元室３９に揚送還元する還元装置４０が連動連結されている。上記還元室３９内には、前記扱胴２０と平行な還元横ラセン４１が軸装されており、該還元横ラセン４１によって、上記還元装置４０から上記還元室３９の後端部に還元された二番物が前記扱胴２０の搬送方向とは逆方向、即ち後方から前方に向けて搬送される。
【００２２】
上記還元室３９は、図３，図５，及び図６に示すように、その前端部に、上記扱室１９の脱穀始端部に臨む扱室還元口４２を有し、上記還元横ラセン４１によって上記還元室３９の前端部まで搬送された二番物は、該還元横ラセン４１の前端に固定された跳出板４３によって跳ね出されて、扱室還元口４２を通って扱室１９に還元される。上記還元室３９の後端部から上記扱室還元口４２までの搬送路の途中には、図５及び図６に示すように、上記選別室９に連通する選別室連通口４５が開口しており、図５においては、上記選別室連通口４５を閉塞するように、連通口カバー４６が上記還元室３９にボルト４７，４７によって固定されており、図６においては、該選別室連通口４５の上方に位置する上方カバー４４を外した後、上記ボルト４７，４７を外すことで上記連通口カバー４６が取り外されている。したがって、上記連通口カバー４６を脱着することで、二番物を、上記選別室連通口４５から上記選別室９に還元するか、上記扱室還元口４２から上記扱室１９に還元するかを択一的に切替え自在に構成されている。
【００２３】
上記揺動選別体２２は、図７及び図８に示すように、左右一対として４対の寄せ板４９Ｒ，４９Ｌ、５０Ｒ，５０Ｌ、５１Ｒ，５１Ｌ、５２Ｒ，５２Ｌが揺動選別体２２上の左右両側に配置され、これら寄せ板４９Ｒ，４９Ｌ、５０Ｒ，５０Ｌ、５１Ｒ，５１Ｌ、５２Ｒ，５２Ｌが、後端側ほど上記揺動選別体２２の左右中央寄りになるように傾斜する姿勢で固定されると共に、該揺動選別体２２上の、特に左右端近くに滞留しがちな処理物を中央側に寄せて分散する。また、４対の寄せ板４９Ｒ，４９Ｌ、５０Ｒ，５０Ｌ、５１Ｒ，５１Ｌ、５２Ｒ，５２Ｌのうち、後方側に位置する寄せ板５１Ｒ，５１Ｌ、５２Ｒ，５２Ｌは、上記揺動選別体２２の左右側端に乗った穀粒が機外に排出されないように、前方側に位置する上記寄せ板４９Ｒ，４９Ｌ、５０Ｒ，５０Ｌよりも外側まで延びて構成されている。
【００２４】
上記選別室９の側壁には、図１１に示すように、上記選別室連通口４５から落下した処理物が選別室９内に放出される選別室還元口６０が形成されていると共に、該処理物を落下案内するガイド板５９が固定されており、４対の寄せ板４９Ｒ，４９Ｌ、５０Ｒ，５０Ｌ、５１Ｒ，５１Ｌ、５２Ｒ，５２Ｌのうち、最も前方に配置され、上記選別室９の一側方である上記選別室連通口４５側に位置する寄せ板４９Ｒは、平面視において、上記選別室還元口６０と機体３の前後方向に少なくとも一部が重なるように配置されている。これにより、選別室９に還元される二番物は、寄せ板４９Ｒの前方側と後方側の双方に放出されるように構成されている。また、上記寄せ板４９Ｒは、上記揺動選別体２２に固定される略長方形状の固定板５３と、該固定板５３に重ね合わせられて、ボルト５５，５５によって上記固定板５３に固定される可動板５６と、から構成される。該可動板５６は、長穴５７，５７を有し、上記ボルト５５，５５が貫通する長穴の位置を変更することで、上記寄せ板４９Ｒの高さを調節可能に構成されていると共に、傾斜部５６ａを有し、上記選別室９の一側方である上記選別室連通口４５側に向って徐々に高くなるように形成されている。
【００２５】
本実施の形態は、以上のような構成からなるので、作業者は、コンバイン１の運転操作部６において運転操作を行い、前処理部５において穀稈の刈取り・搬送作業を行なうと共に、脱穀装置７の扱室１９で脱穀作業、選別室９で選別作業を行なう。該扱室１９で脱穀されて、受網２１から揺動選別体２２に落下した処理物は、唐箕ファン２３及び送風ファン２４によって風選別されつつ、揺動選別体２２上で篩選別されて、一番ラセン３２に回収された一番物は、揚穀装置３７によってグレンタンク１０に貯留される。二番ラセン３３に回収された二番物は、還元装置４０によって還元室３９に還元された後、還元横ラセン４１によって搬送されて扱室１９又は選別室９に択一的に放出される。
【００２６】
この際、刈取った穀物が例えば稲・麦等の傷の付きにくい穀物や処理物の量が多い場合、枝梗を処理して籾の品質を向上したい場合には、二番物を扱室１９に還元して再度脱穀を行なう。そのために、作業者は、選別室連通口４５を閉塞するように連通口カバー４６を還元室３９に取り付けて、二番物が扱室還元口４２まで搬送されるように構成する（図５参照）。該扱室還元口４２まで搬送された二番物は、図９に示すように、跳出板４３によって扱室１９内に跳ね出されて、再度扱室１９において脱穀される。
【００２７】
このように二番物を扱室１９に再度還元する場合には、図１０に示すように、寄せ板４９Ｒを、可動板５６が固定板５３の上方に突出しないように重ね合わせて、すなわち寄せ板４９Ｒを低く設定して、反対側の寄せ板４９Ｌと略同じ高さに調整する。受網２１の円周方向において、該受網２１から均等に処理物が落下した場合、揺動選別体２２の両側方の処理物量が多くなるが、寄せ板４９Ｒ側と寄せ板４９Ｌ側の処理物量には差がないので、これら寄せ板４９Ｒと寄せ板４９Ｌの高さを略同じにすることで、揺動選別体上の処理物の均平性を向上し、排出ロスの発生を防止することができる。
【００２８】
一方、例えば大豆等の傷の付きやすい穀物の場合には、二番物を選別室９に直接放出する。そのために、作業者は選別室連通口４５を開放するように連通口カバー４６を還元室３９から取り外して、該選別室連通口４５から二番物が落下するように構成する（図６参照）。選別室連通口４５から落下した二番物は、選別室還元口６０から選別室９に放出され、ガイド板５９に落下案内される。該ガイド板５９に落下案内された二番物は、揺動選別体２２上における寄せ板４９Ｒの前方側と後方側の双方に落下し、該寄せ板４９Ｒの前方側に放出された二番物は、該寄せ板４９Ｒによって揺動選別体２２の左右方向中央側に寄せられ、該寄せ板４９Ｒの後方側に放出された二番物は、該寄せ板４９Ｒによって揺動選別体２２の左右方向中央側に寄せられることなく後方移送される。これにより、放出された二番物が全て寄せ板４９Ｒによって揺動選別体２２の中央側に寄ってしまって、揺動選別体２２の左右方向中央部に集まりすぎることがなく、揺動選別体２２上の処理物が効率的に分散されて処理物の均平性を向上することができる。
【００２９】
このように二番物を選別室９に放出する場合には、図１１に示すように、サイドカバー３６を開けて、寄せ板４９Ｒを可動板５６が固定板５３の上方に突出するように固定し、すなわち寄せ板４９Ｒを高く設定して、反対側の寄せ板４９Ｌよりも高く調節する。揺動選別体２２上において、受網２１から漏下する処理物と選別室還元口６０から放出された二番物とが合流して、寄せ板４９Ｒ側の処理物量は寄せ板４９Ｌ側の処理物量よりも多くなるので、寄せ板４９Ｒを高く設定することで、該寄せ板４９Ｒ側の処理物を寄せ板４９Ｌ側の処理物より多く揺動選別体２２の中央側に寄せて、揺動選別体２２上の処理物の均平性を向上して、選別処理能力を向上することができる。
【００３０】
以上のように、穀物の種類や状態等に応じて、二番物を扱室１９又は選別室９に択一的に放出し、該放出先に適合するように寄せ板４９Ｒの高さを調節して揺動選別体２２上の処理物の均平性を向上し、材料適応性及び選別処理能力を向上することができる。
【００３１】
また、寄せ板４９Ｒを高く設定した場合には、寄せ板４９Ｒは、可動板５６に形成された傾斜部５６ａによって、選別室連通口４５並びに選別室還元口６０側に向って徐々に高くなるように形成されているので、揺動選別体２２中央側では寄せ板４９Ｒと受網２１との隙間が広くなり、詰まりを防止することができると共に、処理物量の多い選別室還元口６０側でより多くの処理物を中央側に寄せることができ、処理物の均平性を向上することができる。
【００３２】
なお、寄せ板４９Ｒは、背を低く設定する際に、可動板５６を固定板５３に重ね合わせずに取り外してもよく、また固定板及び可動板の二枚から構成せずに、一枚の板からなる異なる高さの板を複数枚用意して、これらを取り外しして構成してもよい。
【符号の説明】
【００３３】
１    コンバイン
３    機体
５    前処理部
７    脱穀装置
９    選別室
１９    扱室
２０    扱胴
２２    揺動選別体
４９Ｒ    寄せ板
６０    選別室還元口
【図１】
2014090672.tif 000003
【図２】
2014090672.tif 000004
【図３】
2014090672.tif 000005
【図４】
2014090672.tif 000006
【図５】
2014090672.tif 000007
【図６】
2014090672.tif 000008
【図７】
2014090672.tif 000009
【図８】
2014090672.tif 000010
【図９】
2014090672.tif 000011
【図１０】
2014090672.tif 000012
【図１１】
2014090672.tif 000013